(57)【要約】【課題】消火栓の安全性の確保と小型化を両立する。【解決手段】ホースと、上記ホースの先端に装着され、ハンドルを有するノズルと、上記ホースを内巻式に収納するホース収納部と、上記ホース収納部の中央部に設けられた消火栓レバーと、上記消火栓レバーの周囲に設けられ、上記消火栓レバーの３方向を覆い、上記消火栓レバーに対する上記ホースの接触を防止するカバーと、上記カバーの開放端側に設けられ、上記ハンドルを固定する固定金具と、を有する、道路用消火栓が提供される。【選択図】図３
2020031712.tif 000002
【特許請求の範囲】
【請求項１】
ホースと、
前記ホースの先端に装着され、ハンドルを有するノズルと、
前記ホースを内巻式に収納するホース収納部と、
前記ホース収納部の中央部に設けられた消火栓レバーと、
前記消火栓レバーの周囲に設けられ、前記消火栓レバーの３方向を覆い、前記消火栓レバーに対する前記ホースの接触を防止するカバーと、
前記カバーの開放端側に設けられ、前記ハンドルを固定する固定金具と、
を有する、
道路用消火栓。
【請求項２】
前記ハンドルを前記道路用消火栓の筐体に固定する少なくも２つの前記固定金具、
を有する、
請求項１に記載の道路用消火栓。
【請求項３】
前記カバーは、前記消火栓レバーの左右方向および下方向を覆うように設けられ、
前記固定金具は、前記消火栓レバーの上方向において前記消火栓レバーに対する前記ホースの接触を防止可能な位置に設けられる、
請求項１または２に記載の道路用消火栓。
【請求項４】
前記消火栓レバーは、上下方向の操作によって消火栓弁の開閉が切り替わるように配置される、
請求項１〜３のいずれかに記載の道路用消火栓。
【発明の詳細な説明】
【技術分野】
【０００１】
本発明は、道路用消火栓に関する。
【背景技術】
【０００２】
近年、火災から人身や車両を守るための消火栓装置が普及している。また、上記のような消火栓装置の安全性、利便性を向上させるための手法が多く提案されている。
【０００３】
例えば、特許文献１および特許文献２には、筐体内に内巻式ホースを収納し、また当該筐体の前面に設けられる前傾式扉の内側にノズルと消火栓レバーとを配置した消火栓が開示されている。また、特許文献３には、筐体前面にスライド式扉を設け、内巻式ホースを収納するホース収納部の外側にノズルおよび消火栓レバーを配置した消火栓が開示されている。
【先行技術文献】
【特許文献】
【０００４】
【特許文献１】特開２０１１−１５６２３６号公報
【特許文献２】特開２０１４−２１７６４６号公報
【特許文献３】特開２００９−２６８７１９号公報
【発明の概要】
【発明が解決しようとする課題】
【０００５】
しかし、特許文献１および特許文献２に記載の構成では、前傾式扉の開扉時に、当該前傾式扉が通路側に突出するため、通路側における円滑な消化活動や避難活動を妨げる可能性がある。また、特許文献３に記載の消火栓は、スライド式扉を採用することで通路側への扉の突出を回避しているが、ノズルと消火栓レバーとをホース収納部の外側に配置しているため筐体の幅方向にさらなるスペースを要し、筐体が大型化してしまう。
【０００６】
そこで、本発明は、上記問題に鑑みてなされたものであり、本発明の目的とするところは、安全性の確保と小型化を両立することが可能な、新規かつ改良された道路用消火栓を提供することにある。
【課題を解決するための手段】
【０００７】
上記課題を解決するために、本発明のある観点によれば、ホースと、上記ホースの先端に装着され、ハンドルを有するノズルと、上記ホースを内巻式に収納するホース収納部と、上記ホース収納部の中央部に設けられた消火栓レバーと、上記消火栓レバーの周囲に設けられ、上記消火栓レバーの３方向を覆い、上記消火栓レバーに対する上記ホースの接触を防止するカバーと、上記カバーの開放端側に設けられ、上記ハンドルを固定する固定金具と、を有する、道路用消火栓が提供される。
【０００８】
また、上記道路用消火栓は、上記ハンドルを上記道路用消火栓の筐体に固定する少なくも２つの上記固定金具、を有してもよい。
【０００９】
また、上記カバーは、上記消火栓レバーの左右方向および下方向を覆うように設けられ、上記固定金具は、上記消火栓レバーの上方向において上記消火栓レバーに対する上記ホースの接触を防止可能な位置に設けられてもよい。
【００１０】
また、上記消火栓レバーは、上下方向の操作によって消火栓弁の開閉が切り替わるように配置されてもよい。
【発明の効果】
【００１１】
以上説明したように本発明によれば、安全性の確保と小型化を両立することが可能となる。
【図面の簡単な説明】
【００１２】
【図１】本発明の一実施形態に係る消火栓の配置例について説明するための図である。
【図２】同実施形態に係る消火栓の外部構造とスライド機構について説明するための図である。
【図３】同実施形態に係る消火栓の内部構造を示す図である。
【図４】同実施形態に係る消火栓レバー、消火栓レバーガード、およびノズル固定金具の配置関係を示す図である。
【図５】同実施形態に係る消火栓の側面図および縦断面図である。
【図６】同実施形態に係る第１のスライド扉および第２のスライド扉が全開となった状態の消火栓を示す図である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
＜１．実施形態＞
＜＜１．１．消火栓１０の概要＞＞
まず、本発明の一実施形態に係る消火栓１０の概要について説明する。本実施形態に係る消火栓は、例えば、トンネル内に設置される道路用消火栓であってもよい。図１は、本実施形態に係る消火栓１０の配置例について説明するための図である。
【００１５】
図１には、トンネル内に設置される消火栓１０および防護柵７０が示されている。図１に示すように、消火栓１０は、道路ｒｗの路肩に設けられる監視員通路ｐｗの脇に、トンネル内壁ｉｗに埋め込まれるように配置されてもよい。ここで、監視員通路ｐｗは、一般的に道路ｒｗから９００〜１０００ｍｍほどの高さを以って設けられる通路であり、監視員による保守作業や災害時の避難経路として用いられる。
【００１６】
また、図１に示す配置に限定されず、本実施形態に係る消火栓１０は、防護柵７０のように道路ｒｗと監視員通路ｐｗの境に配置されてもよい。
【００１７】
ここで、特許文献１や特許文献２のように、消火栓１０に開き戸を備える場合、消火活動時に開放された開き戸が保守員通路ｐｗ側や道路ｒｗ側に突出することとなり、監視員通路ｐｗや道路ｒｗにおける消火活動や避難活動に支障が生じる可能性がある。また、保守作業時においても、開き戸が監視員通路ｐｗ側や道路ｒｗ側に突出することで、保守員や道路ｒｗを走行する車両の動線を妨害し、作業効率や安全性の低下を招くことも懸念される。
【００１８】
さらには、特許文献１および特許文献２のように、ノズルを前傾式扉の内側にノズルを配置する場合、ホースの引き出し時に、水で充満したホースからの衝撃によるがたつきなどが発生しないよう、強固な扉を採用する必要があり、当該扉の開閉操作に労力を要していた。
【００１９】
一方、特許文献３のように、前傾式扉に代え、スライド扉を採用することにより、消火活動時や保守作業時に扉が監視員通路ｐｗ側や道路ｒｗ側に突出することを回避することができ、安全性や利便性をより向上させることが可能となる。
【００２０】
しかし、特許文献３に記載の消火栓では、巻回収納されるホースの内側にノズルや消火栓レバーを配置する十分なスペースがないため、内巻式ホースの外側に別途の配置スペースを設ける必要があり、筐体が大型化してしまう。
【００２１】
また、特許文献３に記載されるような構成において、ホースの内側に消火栓レバーの配置スペースを確保した場合、ホースの引き出し時やホースの巻崩れが発生した際、ホースが消火栓レバーに接触し誤動作を引き起こす可能性もある。
【００２２】
本発明の一実施形態に係る消火栓１０は、上記の点に着目して発想されたものであり、安全性の確保と小型化の両立を可能とする。以下、図２〜図５を参照して、上記の特徴を実現する本実施形態に係る消火栓１０の構造について詳細に説明する。
【００２３】
＜＜１．２．消火栓１０の構造＞＞
図２は、本実施形態に係る消火栓１０の外部構造とスライド機構について説明するための図である。また、図３は、本実施形態に係る消火栓１０の内部構造を示す図である。
【００２４】
図２には、消火栓１０を正面から見た場合の外部構造が示されている。図２に示すように、本実施形態に係る消火栓１０は、第１のスライド扉１００および第２のスライド扉２００の２つのスライド扉を有する。本実施形態に係る第１のスライド扉１００および第２のスライド扉２００は、鋼鉄（ＳＵＳ３０４、ｔ；１．５ｍｍなど）１枚に極力補助材を用いず形成され、また歪み防止のために板を折り返し軽量化が図られたものであってよい。
【００２５】
本実施形態に係る第１のスライド扉１００は、筐体１５の内部に配置される消火栓部の開放と閉鎖とを実現する構成である。ここで、本実施形態に係る消火栓部とは、ホース７２０を内巻式に収納するホース収納部７４０や、配管部７１０が配置される筐体１５の内部空間を指す。図３に示すように、本実施形態に係るホース収納部７４０は、第１のスライド扉１００の開扉により開放される位置に配置される。
【００２６】
本実施形態に係る消火栓部には、例えば、図３に示すように、給水栓を含む配管部７１０や消火栓弁７７０、内巻式に収納されたホース７２０、ノズル７３０、消火栓レバーガード７５０、消火栓レバー７６０、ノズル固定金具７８０、ホースケージ８００などが配置される。
【００２７】
また、本実施形態に係る第２のスライド扉２００は、筐体１５の内部に配置される消火器収納部９１０の開放と閉鎖とを実現する構成である。図３に示すように、本実施形態に係る消火器収納部９１０は、第２のスライド扉２００の開扉により開放される位置に配置される。
【００２８】
本実施形態に係る消火器収納部９１０には、２本の消火器９０が筐体１５の幅方向に並んで収納される。
【００２９】
また、本実施形態に係る消火栓１０は、上述した消火栓部と消火器収納部９１０との間に報知部５００を有する。本実施形態に係る報知部５００には、例えば、図２に示すように、赤色表示灯５５０、非常通報ボタン５６０、応答ランプ５７０などの電気系の構成が配置される。
【００３０】
本実施形態に係る第１のスライド扉１００は、報知部５００の方向に突出する延長部１０５を上端および下端にそれぞれ有する。延長部１０５を含む第１のスライド扉１００の上端および下端には、複数の第１のローラー１２０が配置される。
【００３１】
また、本実施形態に係る第２のスライド扉２００も、第１のスライド扉１００と同様に、報知部５００の方向に突出する延長部２０５を上端および下端にそれぞれ有する。延長部２０５を含む第２のスライド扉２００の上端および下端には、複数の第２のローラー２２０が配置される。
【００３２】
本実施形態に係る第１のスライド扉１００は、上端および下端において消火栓部が配置される側に設けられた複数の第１のローラー１２０で、筐体１５の上部および下部にそれぞれ設けられた第１のレール１３０を上下から挟み込むことで、筐体１５に装着される。上記の構成によれば、第１のスライド扉１００を筐体１５に強固に装着することができ、例えば、ホース７２０などが第１のスライド扉１００にぶつかる等しても、がたつくことなく堅牢な状態を保つことができる。
【００３３】
また、第２のスライド扉２００も同様に、上端および下端において消火器収納部９１０が配置される側に設けられた複数の第２のローラー２２０で、筐体１５の上部および下部にそれぞれ設けられた第２のレール２３０を上下から挟み込むことで、筐体１５に装着される。
【００３４】
次に、図３および図４を参照しながら、本実施形態に係るホース収納部７４０における各構成の配置について詳細に説明する。図３に示すように、本実施形態に係るホース収納部７４０は、第１のスライド扉１００の開扉により開放される筐体１５の内部空間において、ホース７２０を内巻式に収納する。
【００３５】
また、本実施形態に係るホース収納部７４０の中央部、すなわち内巻式に収納されるホース７２０の内側には、ホース７２０の先端に装着されハンドルを有するノズル７３０と、消火栓レバー７６０とが配置される。当該配置によれば、ホース７２０の内側空間を有効活用することで、配置スペースを別途に設けることなくノズル７３０や消火栓レバー７６０を収納することができる。
【００３６】
また、内巻式に収納されるホース７２０の内側には、消火栓レバーガード７５０とノズル固定金具７８０が配置される。本実施形態に係る消火栓レバーガード７５０は、消火栓レバー７６０の周囲に設けられ、消火栓レバー７６０の左右方向および下方向の３方向を覆うことで、消火栓レバー７６０に対するホース７２０の接触を防止する構成である。なお、本開示では、消火栓レバーガード７５０を、単に、カバー、と称する場合がある。
【００３７】
また、本実施形態に係るノズル固定金具７８０は、消火栓レバーガード７５０の開放端側、すなわち消火栓レバー７６０の上方向に棒状に設けられ、ノズル７３０のハンドルを筐体１５に固定する構成である。本実施形態に係るノズル固定金具７８０は、ノズル７３０を筐体１５に安定して固定するために、ハンドルの形状に合わせて少なくとも２つ以上配置されてよい。この際、ノズル固定金具７８０は、操作者が消火活動等を行う際にノズル７３０が取り出しやすい位置、かつ収納時にホース７２０が屈曲しない位置に設けられる。
【００３８】
さらに、本実施形態に係るノズル固定金具７８０は、ホース７２０の取り出し時に、ホース７２０が上方から消火栓レバー７６０に接触することを防止するガードとしての役割を担う。
【００３９】
図４は、本実施形態に係る消火栓レバー７６０、消火栓レバーガード７５０、およびノズル固定金具７８０の配置関係を示す図である。図４に示すように、本実施形態に係る消火栓レバー７６０の左右方向および下方向は、消火栓レバーガード７５０に覆われることで、左右下の３方向からのホース７２０の接触を防ぐことができる。
【００４０】
また、消火栓レバー７６０の上方向には、２本のノズル固定金具７８０が配置されることで、消火栓レバー７６０に対する上方向からのホース７２０の接触を防止する。このために、本実施形態に係るノズル固定金具７８０は、消火栓レバー７６０の上方向において、消火栓レバー７６０に対するホース７２０の接触を防止可能な位置に設けられる。例えば、本実施形態に係るノズル固定金具７８０うちの１つは、消火栓レバー７６０の直上に配置されてもよい。
【００４１】
上記の構成によれば、消火栓レバー７６０の周囲全方向を消火栓レバーガード７５０が囲うためのスペースが不足している場合にも、ノズル７３０の固定用途を兼ねた２本のノズル固定金具７８０により、消火栓レバー７６０に対する上方向からのホース７２０の接触を防止することが可能となる。
【００４２】
このように、本実施形態に係る消火栓レバーガード７５０およびノズル固定金具７８０によれば、ホース７２０の引き出し時などに、意図せずホース７２０が消火栓レバー７６０に接触し、消火栓レバー７６０が誤動作する恐れを排除することができる。
【００４３】
また、上記の配置によれば、消火栓レバー７６０の上方向を広く開放することで、操作者が消火栓レバー７６０に容易にアクセスすることができ、迅速な消火活動を行うことが可能となる。
【００４４】
なお、本実施形態に係る消火栓レバー７６０は、図４に示すように、上下方向の操作によって消火栓弁７７０の開閉が切り替わるように配置される。本実施形態に係る消火栓レバー７６０は、例えば、下方向に倒すことにより、消火栓弁７７０が開くように設けられてもよい。上記の配置によれば、左右方向の操作と比較して、操作者がより容易かつ直観的に消火栓弁７７０の開閉操作を行うことが可能となる。
【００４５】
また、上記の配置によれば、左右方向の操作と比較して、収納されるホース７２０の内側空間をより省スペース化することができ、筐体１５の幅方向の長さを１７８０ｍｍ程度に抑えることができる。
【００４６】
次に、図５を参照しながら、本実施形態に係る消火栓１０の内部構造の配置について説明を続ける。図５には、図３におけるＡ−Ａ〜Ｉ−Ｉを基準とした際の消火栓１０の側面図および縦断面図が示されている。
【００４７】
Ａ−Ａ側面図には、消火用水を供給する外部機構と接続する配管部７１０の接続口が示されている。また、Ｂ−Ｂ縦断面図には、閉扉状態の第１のスライド扉１００の背部に配置される配管部７１０が示されている。上記の配置によれば、第１のスライド扉１００の開扉時に、消火栓部に配置される配管部７１０を開放することができ、効率的な保守作業が可能となる。
【００４８】
また、Ｃ−Ｃ縦断面図には、内巻式に収納されるホース７２０と、ホース７２０を収納するホースケージ８００とが示されている。
【００４９】
また、Ｄ−Ｄ縦断面図には、ホース７２０と消火栓レバー７６０との接触を防止するための消火栓レバーガード７５０が示されている。上述したように、本実施形態に係る消火栓レバーガード７５０は、内巻式に収納されるホース７２０の内側空間において、消火栓レバー７６０の左右方向および下方向を覆うように配置される。本実施形態に係る消火栓レバーガード７５０によれば、左右下方向からのホース７２０の接触による消火栓レバー７６０の意図しない操作を防止することが可能となる。
【００５０】
また、Ｅ−Ｅ縦断面図には、内巻式に収納されるホース７２０の内側空間に配置される消火栓レバー７６０とノズル７３０とが示されている。本実施形態に係るノズル７３０は、消火栓レバー７６０の上方において例えば２本のノズル固定金具７８０により筐体１５に固定される。上記の配置によれば、別途の配置スペースを設けることなく、ノズル７３０や消火栓レバー７６０をホース７２０の内側空間に収納することができ、筐体１５をより小型化することが可能となる。また、本実施形態に係るノズル固定金具７８０によれば、限られたスペースにおいて、ノズル７３０の固定と、消火栓レバー７６０に対する上方向からのホース７２０の接触防止と、を両立することができ、より安全な消火活動を行うことが可能となる。
【００５１】
また、Ｆ−Ｆ縦断面図には、消火栓部と消火器収納部９１０との間に配置される報知部５００が示されている。本実施形態に係る報知部５００には、第１のスライド扉１００の延長部１０５と第２のスライド扉２００の延長部２０５とが、上下方向にずれた状態で収納される。延長部１０５および２０５を上下方向にずらして配置することにより、筐体１５の奥行方向の長さを延長部２つ分追加する必要がないため、筐体１５の奥行方向の長さを２５０ｍｍ程度に抑えることができる。
【００５２】
また、Ｇ−Ｇ縦断面図およびＨ−Ｈ縦断面図には、第２のスライド扉２００の内側に位置する消火器収納部９１０に収納される消火器９０が示されている。上記の構成によれば、監視員通路ｐｗ側や道路ｒｗ側に扉が突出することなく消火器９０を取り出すことができ、より安全な消火活動を実現することができる。
【００５３】
＜＜１．３．操作の流れ＞＞
次に、本実施形態に係る消火栓１０の操作の流れについて詳細に説明する。図６には、第１のスライド扉１００および第２のスライド扉２００が全開となった状態の消火栓１０が示されている。
【００５４】
操作者は、第１のハンドル１１０や第２のハンドル２１０を把持し第１のスライド扉１００や第２のスライド扉２００を筐体１５の外側方向に向けて動かすことで、各スライド扉を開扉することができる。第１のスライド扉１００および第２のスライド扉２００、第１のローラー１２０および第２のローラー２２０は、操作者による開扉操作に伴い、外側から徐々に筐体１５の外側へ突出していく。
【００５５】
なお、第１のスライド扉１００は、ノズル７３０およびホース７２０の取り出しが可能な段階（ホース収納部７４０が開放された段階）で一度スライドが停止するように設けられてもよい。このような構成によれば、消火活動を行う一般の操作者などが、配管部７１０を不要に露出することを防止し、操作に戸惑うことなく直観的に消火活動を行うことができる。
【００５６】
なお、スライドの一時停止は、例えば、一時固定用のマグネットなどを用いることで実現可能である。保守員などの操作者は、ホース収納部７４０が開放された状態で一時固定された第１のスライド扉１００を、第１のハンドル１１０を操作してさらに開扉することで配管部７１０を開放し、保守作業を行うことができる。
【００５７】
次に、操作者は、第１のスライド扉１００の開扉によりホース収納部７４０が開放された状態において、２本のノズル固定金具７８０の間に手を入れノズル７３０を引き出す。また、操作者は、消火栓レバー７６０を放水方向（例えば、下方向）に操作することで、消火栓弁７７０を開くとともに、ホース７２０を引き出す。
【００５８】
上記の操作により、ホース７２０は、内側から巻き解けていき、ノズル固定金具７８０および消火栓レバーガード７５０、またホースケージ８００の外側に接触しながら、消火栓レバー７６０に接触することなく安全に引き出される。
【００５９】
以上、本実施形態に係る消火栓１０の操作の流れについて説明した。このように、本実施形態に係る消火栓１０によれば、内巻式に収納されるホース７２０の内側空間にノズル７３０および消火栓レバー７６０を収納することができ、ホース収納部７４０の開放により、ノズル７３０の取り出し、消火栓レバー７６０の操作、ホース７２０の引き出しを容易かつ迅速に行うことが可能となる。
【００６０】
また、本実施形態に係る消火栓１０の構成によれば、消火栓レバー７６０の左右下方向を消火栓レバーガード７５０で、上方向をノズル固定金具７８０で囲い、また消火栓レバーガード７５０およびノズル固定金具を、消火栓レバー７６０の放水停止状態位置および放水状態位置より前面側に延長することで、ホース７２０の接触による消火栓レバー７６０の誤動作を回避することが可能である。
【００６１】
＜２．まとめ＞
以上説明したように、本発明の一実施形態に係る消火栓１０は、ホース７２０と、ホース７２０の先端に装着され、ハンドルを有するノズル７３０と、ホース収納部７４０の中央部に設けられた消火栓レバー７６０と、消火栓レバー７６０の周囲に設けられ、消火栓レバー７６０の３方向を覆い、消火栓レバー７６０に対するホースの接触を防止する消火栓レバーガード７５０と、消火栓レバーガードの開放端側に設けられ、ノズル７３０のハンドルを固定するノズル固定金具と、を有する。
【００６２】
係る構成によれば、消火栓の安全性の確保と小型化を両立することが可能となる。
【００６３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６４】
１０      消火栓
７２０    ホース
７３０    ノズル
７４０    ホース収納部
７５０    消火栓レバーガード
７６０    消火栓レバー
７７０    消火栓弁
７８０    ノズル固定金具
【図１】
2020031712.tif 000003
【図２】
2020031712.tif 000004
【図３】
2020031712.tif 000005
【図４】
2020031712.tif 000006
【図５】
2020031712.tif 000007
【図６】
2020031712.tif 000008